(57)【特許請求の範囲】
【請求項１】
内部に開口を備えるハウジングと、
前記ハウジングの一端に固定され、一つの端部が皮膚治療部位に接触するように配置され、内部を貫通するための少なくとも１つの開孔を備えた温度調節要素と、
前記ハウジングに固定された光源と、
前記少なくとも１つの開孔を介し、前記光源から少なくとも前記皮膚治療部位の一部分まで光エネルギーを通すように配置した光路と、
前記光源及び前記温度調節要素の各々と電気的に連通する制御及び駆動電気回路と、を備え、前記制御及び駆動電気回路は、
前記開孔を通って進行する前記光源から前記皮膚治療部位の前記部分にパルス状の光エネルギーを供給するために、前記光源が前記皮膚治療部位の前記部分に光エネルギーを出力するオンタイムと前記光源が動作休止するオフタイムとを有し、５０％までの所定のデューティサイクルを有する第一パルス列を前記光源に出力し、
前記温度調節要素が電力供給を受けるオンタイムと前記温度調節要素が動作休止するオフタイムとを有する第二パルス列を、前記皮膚治療部位の温度を調節するように前記温度調節要素に出力する、
ように構成され、
出力された前記第一パルス列のパルスは、０．２５〜５Ｈｚの所定の周波数を有し、
前記第一パルス列の前記パルスの前記オンタイムと前記第二パルス列の前記パルスの前記オンタイムとが交互に出力され、前記第一パルス列の前記パルスの前記オフタイムの間、前記温度調節要素は、前記第二パルス列のそれぞれのパルスによって電力供給を受け、前記第一パルス列の前記パルスの前記オンタイムの間、前記温度調節要素は、動作休止する、
皮膚治療部位の治療のためのハンドヘルド装置。
【請求項２】
前記温度調節要素が熱電素子である、請求項１に記載のハンドヘルド装置。
【請求項３】
前記温度調節要素が、前記皮膚治療部位に接触するように配置された前記一端で２５℃未満の温度を提供するように配置された、請求項１又は請求項２に記載のハンドヘルド装置。
【請求項４】
前記温度調節要素がリング状で、前記開孔が前記リング状の中央開口となる、請求項１に記載のハンドヘルド装置。
【請求項５】
前記少なくとも１つの開孔が開孔のマトリックスを備える、請求項１に記載のハンドヘルド装置。
【請求項６】
前記少なくとも１つの開孔が複数のスリット状の開孔を含む、請求項１に記載のハンドヘルド装置。
【請求項７】
近接する開孔から進行する前記パルス状の光エネルギーが前記皮膚治療部位内部の所定の表皮深さのところで重なり合うように、前記複数の開孔が離間する、請求項５又は請求項６のいずれかに記載のハンドヘルド装置。
【請求項８】
前記光源の前記パルス列が、所定の治療時間にわたって皮膚治療部位の前記部分において前記光源から光エネルギーの４〜２５Ｊ／ｃｍ2のフルエンスを提供するのに十分なエネルギーを有する、請求項１に記載のハンドヘルド装置。
【請求項９】
前記光源の前記パルス列が、所定の治療時間にわたって皮膚治療部位の前記部分において前記光源から光エネルギーの８〜１２Ｊ／ｃｍ2のフルエンスを提供するのに十分なエネルギーを有する、請求項１に記載のハンドヘルド装置。
【請求項１０】
前記所定の治療時間が５〜６０秒の範囲である、請求項８又は請求項９のいずれかに記載のハンドヘルド装置。
【請求項１１】
前記所定の治療時間が２５〜３５秒の範囲である、請求項８又は請求項９のいずれかに記載のハンドヘルド装置。
【請求項１２】
前記パルス列の前記パルスの各々が、皮膚治療部位の前記部分において前記光源から光エネルギーの０．０５〜１Ｊ／ｃｍ2のフルエンスを提供するのに十分なエネルギーを有する、請求項１に記載のハンドヘルド装置。
【請求項１３】
前記パルス列の前記パルスの各々が、皮膚治療部位の前記部分において前記光源から光エネルギーの０．３〜０．６Ｊ／ｃｍ2のフルエンスを提供するのに十分なエネルギーを有する、請求項１に記載のハンドヘルド装置。
【請求項１４】
前記光源が、３００〜２０００ｎｍの波長域の光を出力する、請求項１に記載のハンドヘルド装置。
【請求項１５】
前記光源と皮膚治療部位の部分との間の光路に介在する光フィルタを更に含み、前記フィルタが、５９０〜２０００ｎｍの波長域の光を透過する、請求項１に記載のハンドヘルド装置。
【請求項１６】
皮膚治療部位の前記部分が０．２５〜２ｃｍ2である、請求項１に記載のハンドヘルド装置。
【請求項１７】
皮膚治療部位の前記部分が０．５〜１ｃｍ2である、請求項１に記載のハンドヘルド装置。
【発明の詳細な説明】
【技術分野】
【０００１】
本発明は一般に皮膚科的治療装置の分野、特に温度調節要素と標的皮膚を照射するように配置された光要素との組み合わせを備えた装置に関する。
【背景技術】
【０００２】
電磁エネルギー、特に可視及び近赤外域における光エネルギーは、皮膚疾患を治療するための医療用途において広く使用されている。にきび、しわ取り、皮膚の引き締め、及び皮膚の若返りを含み且つこれらに限定されない広範囲に及ぶ医療的な皮膚症状、そして一般的な美容における皮膚症状は、電磁エネルギーを用いて良好に治療される。
【０００３】
全体の内容を参照することにより本明細書で援用する、２００２年４月３０日にルバートに付与された米国特許第６，３７９，３７６号は、皮膚細胞又は組織の成長及び増殖を促進するため、又は細菌による皮膚感染を抑制するための方法及び装置を対象としている。あいにく、ルバートの技術は、光の使用に限定される。
【０００４】
２００８年１２月４日に公開されたラインシュタインの米国特許出願第２００８／０３００５２９号は、皮膚又は身体部分を組成物と接触させ、その組成物を熱電ペルチエ装置と接触させて、皮膚又は身体部分を熱電ペルチエ装置で加熱及び又は冷却することから成る、皮膚又は身体部分を治療する方法を対象としている。あいにく、上記出願には光線療法が設けられていない。
【０００５】
皮膚に対して加熱と冷却の組み合わせを提供する種々の皮膚治療用製品が存在する。その組み合わせは、皮膚の若返り、にきびの減少、及び関連した炎症、及び血行を良くすることを含め且つこれらに限定されない種々の利益を提供すると考えられる。
【０００６】
２００９年１月６日にノールトン等に付与された米国特許第７，４７３，２５１号は、電磁エネルギー源に連結された電磁エネルギー伝達装置から、皮膚表面を通して電磁エネルギーを伝達することによって、組織伝達部位における組織効果を作り出す方法を対象としたものであり、その全体の内容を参照することにより本明細書で援用する。
【０００７】
全体の内容を参照することにより本明細書で援用する、２００８年４月１日にアルシュラー等に付与された米国特許第７，３５１，２５２号は、深層領域に到達することができる波長で比較的低電力に選択された光学的な照射を、所望の治療に奏功するのに十分な時間で持続してその領域に加えると同時に、そのような組織の保護のため、選択された領域より上方の組織を冷却する、深層領域の組織の治療方法及び装置を対象としたものである。
【０００８】
あいにく、上記従来技術は、光療法と温度療法の両方の一体化した利益をユーザに与える、低コストの装置を提供していない。
【発明の概要】
【０００９】
従って、本実施形態の主な目的は、従来技術の皮膚治療用装置の欠点のうち少なくとも幾つかを克服することである。これは、或る実施形態において光源からの照射が温度調節要素の開孔を通過するように配置された、光源と温度調節要素との組み合わせを備えた家庭用ハンドヘルド装置によって達成される。
【００１０】
一実施形態では、温度調節要素は熱電素子である。一実施形態では、熱電素子はリング状であり、光エネルギーは、リング状熱電素子の中央開口に形成された開孔を通して供給され、別の実施形態では、熱電素子は、複数の開孔を表す貫通孔のマトリックスを備え、光エネルギーは、複数の開孔を通して供給され、別の実施形態では、熱電素子は、複数の開孔を表す複数の並行貫通スリットを備え、光エネルギーは、複数の開孔を通して供給される。好ましくは、複数の開孔は、近接する開孔から進行するパルス状の光エネルギーが皮膚治療部位内部の所定の表皮深さで重なり合うように一定間隔で離間する。
【００１１】
一実施形態では、光源は、標的部位に約３００〜２０００ｎｍの範囲で光衝撃力を与える広帯域の光源であり、別の実施形態では、光源は、標的部位に約５９０〜２０００ｎｍの範囲で光衝撃力を与えるフィルタ処理された光である。
【００１２】
一実施形態では、光源は、標的皮膚部位における１パルス当たりのエネルギーが０．０５〜１Ｊ／ｃｍ2、好ましくは０．３〜０．６Ｊ／ｃｍ2となるように継続してパルスが発振される。パルス数は、治療処置の間、標的皮膚部位で４〜２５Ｊ／ｃｍ2のフルエンスを、好ましくは標的皮膚部位で８〜１２Ｊ／ｃｍ2のフルエンスを治療処置の間提供するよう選定される。
【００１３】
一実施形態では、温度調節要素は冷却モードで作動し、ユーザの皮膚に接触するのに０〜２５℃、好ましくは４〜１５℃の温度を提供する。一実施形態では、冷却と光に交互にパルスが発振される。
【００１４】
一実施形態では、皮膚治療部位の部分の範囲は、０．２５〜２ｃｍ2である。別の実施形態では、皮膚治療部位の部分の範囲は、０．５〜１ｃｍ2のである。
【００１５】
一実施形態では、光源のパルス列は、０．１〜１０Ｈｚの周波数及び５０％以下のデューティサイクルを備える。別の実施形態では、光源のパルス列は、０．２５〜５Ｈｚの周波数及び５０％以下のデューティサイクルを備える。
【００１６】
特別な一実施形態では、内部に開口が設けられたハウジングと、ハウジングの一端に固定され、一つの端部が皮膚治療部位に接触するよう配置され、内部を貫通するための少なくとも１つの開孔が設けられた温度調節要素と、ハウジングに固定された光源と、少なくとも１つの開孔を介し光源から皮膚治療部位の少なくとも一部分まで光エネルギーを通すよう配置された光路と、光源及び温度調節要素の各々と電気的に連通する制御及び駆動電気回路とを備え、制御及び駆動電気回路が、光源にパルス列を出力し、これにより開孔を通して進行する光源から皮膚治療部位の部分にパルス状の光エネルギーを供給し、又皮膚治療部位の温度を調節するように温度調節要素に電力供給するよう作動する、皮膚治療部位の治療のためのハンドヘルド装置が提供される。
【００１７】
これとは別に、或る実施形態は、温度調節表面を皮膚治療部位に当て、当てられた温度調節表面に少なくとも１つの開孔を設け、設けられた開孔を介して皮膚治療部位の一部分に、パルス状の光エネルギーを供給することを含む、皮膚の治療方法を提供する。
【００１８】
さらなる一実施形態では、温度調節表面は、皮膚治療部位に対して２５℃未満の温度を備える冷却表面である。さらなる別の実施形態では、上記方法は、温度調節要素にパルスを、パルス状の光エネルギーと交互に発振することをさらに含む。
【００１９】
さらなる一実施形態では、少なくとも１つの開孔は、近接する開孔から進行するパルス状の光エネルギーが皮膚治療部位内の所定の表皮深さで重なり合うように一定間隔で離間した複数の開孔を含む。さらなる別の実施形態では、パルス状の光エネルギーは、所定の治療時間にわたって皮膚治療部位の部分において４〜２５Ｊ／ｃｍ2のフルエンスを提供する。
【００２０】
さらなる一実施形態では、パルス状の光エネルギーは、所定の治療時間にわたって皮膚治療部位の部分において８〜１２Ｊ／ｃｍ2のフルエンスを提供する。さらなる別の実施形態では、所定の治療時間は、５〜６０秒の範囲である。
【００２１】
さらなる一実施形態では、所定の治療時間は、２５〜３５秒である。さらなる別の実施形態では、パルス状の光エネルギーのパルスの各々は、皮膚治療部位の部分において光エネルギーの０．０５〜１Ｊ／ｃｍ2のフルエンスを提供する。
【００２２】
さらなる一実施形態では、パルス状の光エネルギーのパルスの各々は、皮膚治療部位の部分において光エネルギーの０．３〜０．６Ｊ／ｃｍ2のフルエンスを提供する。さらなる別の実施形態では、供給されたパルス状の光エネルギーは、３００〜２０００ｎｍ、好ましくは５９０〜２０００ｎｍの波長域である。
【００２３】
さらなる一実施形態では、皮膚治療部位の部分の範囲は、０．２５〜２ｃｍ2、好ましくは０．５〜１ｃｍ2である。さらなる別の実施形態では、パルス状の光エネルギーは、０．１〜１０Ｈｚの周波数及び５０％以下のデューティサイクルを備え、好ましくは、パルス状の光エネルギーは、０．２５〜５Ｈｚの周波数及び５０％以下のデューティサイクルを備える。
【００２４】
さらなる特徴及び利点は、以下の図面及び説明から明らかになるであろう。
【００２５】
本発明のより良い理解のため、また本発明が如何に実施されるかを示すため、以下に添付図面を参照する。その図面中の同じ番号は最初から終わりまでの全般を通し相当する要素や部分を指す。
【００２６】
特定の図面を詳細に参照すると、図示された内容は一例であって、本発明の好適な実施形態を例示的に説明することのみを目的としており、本発明の原理及び概念的な態様の説明が最も有用かつ容易に理解されると考えられるものを提供するために提示されることが強調される。これに関し、本発明の基本的な理解に必要である以上の構造的な詳細を示す意図はなく、本発明の幾つかの形態を実際にどのように具体化してもよいかを当業者に明らかにする説明を図面を参照して行う。図面と共になされる説明により、本発明のいくつかの形態が如何に実現されるのかが当業者に対し明らかとなる。
【図面の簡単な説明】
【００２７】
【図１Ａ】或る実施形態によるハンドヘルド装置の斜視図の高レベル概略図を示す。
【図１Ｂ】図１Ａのハンドヘルド装置の側面切断図の高レベル概略図を示す。
【図１Ｃ】図１Ａ、図１Ｂのハンドヘルド装置で治療される皮膚治療部位の高レベル概略図を示す。
【図１Ｄ】或る実施形態による中央の単一開孔を備える温度調節要素の実施形態の斜視図を示す。
【図１Ｅ】或る実施形態による略円筒形状の開孔のマトリックスを備える温度調節要素の実施形態の斜視図を示す。
【図１Ｆ】或る実施形態による略ボックス形状の開孔のマトリックスを備える温度調節要素の実施形態の斜視図を示す。
【図１Ｇ】或る実施形態による複数の並行するスリット状の開孔を備える温度調節要素の実施形態の斜視図を示す。
【図１Ｈ】或る実施形態による皮膚治療部分の表皮内における照射の重なりを示した皮膚治療部分の側面図を示す。
【図２】或る実施形態による図１Ａ及び図１Ｂのハンドヘルド装置の高レベルブロック図を示す。
【図３】或る実施形態による図１Ａ、図１Ｂ及び図２のハンドヘルド装置のより詳細な回路の高レベル概略図を示す。
【図４】或る実施形態による治療処置の間の光源の電力出力のグラフを示す。
【図５】治療処置の間のユーザの皮膚の表面温度のグラフを示す。
【図６】或る実施形態による皮膚治療方法の高レベルフローチャートを示す。
【発明を実施するための形態】
【００２８】
【００２９】
【００３０】
【００３１】
【００３２】
【００３３】
【００３４】
【００３５】
【００３６】
【００３７】
【００３８】
【００３９】
【００４０】
本発明の少なくとも一つの実施形態を詳細に説明する前に、本発明が、以下の説明で述べられ図示される構成要素の構成並びに配置の詳細への適用に限定されないことを理解すべきである。本発明は、他の実施形態に適用可能であり、種々の方法で実施又は実行される。また、本明細書で用いられる表現や用語は説明のためであり、限定的にみなすべきではないことを理解すべきである。
【００４１】
図１Ａは、ハンドヘルド装置１０の斜視図の高レベル概略図を示し、図１Ｂは、ハンドヘルド装置１０の側面切断図の高レベル概略図を示し、図１Ｃは、或る実施形態によるハンドヘルド装置１０の皮膚治療部位の高レベル概略図を示し、図１Ｄは、或る実施形態による温度調節要素の実施形態の斜視図を示しており、図１Ａ〜図１Ｄは、一緒に取り扱われる。ハンドヘルド装置１０は、ハウジング２０と、充電器ジャック２５と、光路３０と、可視的表示器４０と、ユーザ入力装置５０と、開孔６５を備える温度調節要素６０と、光源７０と、オプションの光フィルタ８０と、皮膚治療部位１００を備える皮膚部位９０と、皮膚治療部位の部分１１０とを含む。
【００４２】
可視的表示器４０は好ましくは、１又は複数のＬＥＤ又はＬＣＤディスプレイを含む。ユーザ入力装置５０は、好ましくは押しボタンであり、その通り図示されているが、これにより何らかの限定を与えることを意図するものではない。一実施形態では、光源７０は白熱電球を含む。一実施形態では、温度調節要素６０は、ペルチエ効果に応答して動作する熱電装置として実装されており、その一方の温度制御された側は、皮膚部位９０に接触するよう配置されている。温度調節要素６０は、皮膚部位９０と接触する位置に配置されており、温度調節要素６０と連通する皮膚部位９０の部分により皮膚治療部位の部分１１０の位置が限定される。光源７０から光路３０を介し開孔６５を通過して進行する光によって照射される皮膚部位９０の部分により、皮膚治療部位の部分１１０の位置が限定される。非限定的な一実施形態では、皮膚治療部位１００は、約３〜６ｃｍ2である。一実施形態では、皮膚治療部位の部分１１０の範囲は、０．２５〜２ｃｍ2であり、好ましくは０．５〜１ｃｍ2である。
【００４３】
温度調節要素６０は、リング状要素として、リング状の温度調節要素６０の中央開孔６５を介し進行する光路３０と共に図示されているが、これによりなんらかの限定をすることを意味しておらず、光路３０と温度調節要素６０は、図１Ｅ〜図１Ｇに関連して記載されているように、開孔のマトリックス又は１つおきに並行するストライプの一群、或いはその他任意の幾何学的な組み合わせとして提供されてもよい。
【００４４】
光源７０は、光エネルギーを出力し、一実施形態では、光エネルギーの出力は、３００〜２０００ｎｍの波長域である。光源７０から光路３０に沿って進行する光エネルギーは、オプションの光フィルタ８０によって任意にフィルタ処理されて短い波長を除去し、よって５９０〜２０００ｎｍの波長域を備える光エネルギーで皮膚治療部位の部分１１０を照射する。長い波長は、一層深い皮膚透過をもたらすので、任意に選択することが好ましい。
【００４５】
充電器ジャック２５は、搭載された再充電式バッテリを充電することを備える。オプションのハンドヘルド装置１０は、その範囲を超えることなしに、バッテリで作動され又は電源で作動される。
【００４６】
皮膚治療部位の部分１１０は、作動時に及びさらに後述するように５〜６０秒、好ましくは２５〜３５秒の全治療時間において、ユーザ入力装置５０におけるユーザ入力に応答して、好ましくは０．１〜１０Ｈｚの周波数、更に好ましくは０．２５〜５Ｈｚの周波数で、光源７０から進行する光エネルギー、好ましくはパルス状の光エネルギーで照射される。パルス状の光エネルギーは、全治療時間にわたって、皮膚治療部位の部分１１０に限定された位置において好ましくは１パルス当たりのエネルギーが０．０５〜１Ｊ／ｃｍ2、更に好ましくは０．３〜０．６Ｊ／ｃｍ2で、４〜２５Ｊ／ｃｍ2の、好ましくは８〜１２Ｊ／ｃｍ2のフルエンスを備える。一実施形態では、温度調節要素６０は、全治療時間にわたって皮膚治療部位１００の冷却を行うようにさらに電力供給され、好ましくは、冷却は、パルス状の光エネルギーと交互に電力供給される。一実施形態では、温度調節要素６０の冷却温度は、０〜２５℃であり、好ましくは４〜１５℃である。別の実施形態では、温度調節要素６０は、全治療時間にわたって皮膚治療部位１００の加熱を行うようにさらに電力供給され、好ましくは、加熱は、パルス状の光エネルギーと交互に電力供給される。
【００４７】
図１Ｅは、或る実施形態による略円筒形の開孔６５のマトリックスを備える温度調節要素６０の実施形態の斜視図を示している。必要に応じて開孔６５は、皮膚治療の深さ１１５が示され、照射部位が皮膚深さまで延びた図１Ｈに図示されるように、光源７０からの光エネルギー、特に赤外線照射が、皮膚治療部位の部分１１０の表皮の所定深さのところで重なり合うように、非常に接近した間隔で配置されている。図１Ｅの温度要素６０は、矩形要素として示されているが、これはなんらかの限定を与えることを意味しておらず、温度要素６０は、限定することなく又、その範囲を超えることなしに、円筒形要素又はその他任意の形状として実施してもよい。
【００４８】
図１Ｆは、或る実施形態による略ボックス形状の開孔６５のマトリックスを備える温度調節要素６０の実施形態の斜視図を示している。必要に応じて開孔６５は、皮膚治療部位の深さ１１５が示され、照射部位が皮膚の深さまで延びた図１Ｈに図示されるように、光源７０からの光エネルギー、特に赤外線照射が、皮膚治療部位の部分１１０の表皮の所定深さのところで重なり合うように、非常に接近した間隔で配置されている。図１Ｆの温度要素６０は、矩形要素として示されているが、これはなんらかの限定をすることを意味しておらず、温度要素６０は、限定することなく、又範囲を超えることなしに、円筒形要素又はその他任意の形状として実施してもよい。
【００４９】
図１Ｇは、或る実施形態による複数の並行したスリット状の開孔６５を備える温度調節要素６０の実施形態の斜視図を示している。並行するスリット状の開孔６５は、図１Ｈにおいて皮膚治療部位の深さ１１５が示され、照射部位が皮膚の深さまで延びていることが示される如く、光源７０からの光エネルギー、特に赤外線照射が、皮膚治療部位の部分１１０の表皮の所定深さで重なり合うよう、必要に応じて非常に近接した間隔で配置されている。図１Ｇの温度要素６０は矩形要素として示されているが、これはなんらかの限定を与えることを意味しておらず、温度要素６０は、限定することなく、又範囲を超えることなしに、円筒形要素又はその他任意の形状として実施してもよい。
【００５０】
光と温度の交互療法は、皮膚治療部位１００、特に皮膚治療部位の部分１１０への血流量を増加させるものと考えられ、よって皮膚治療部位１００の構成細胞の新陳代謝を増大させる。
【００５１】
図２は、皮膚治療部位の部分１１０と接触する位置に配置された光路３０を備えるハウジング２０と、光源７０と、制御及び駆動電気回路１２０と、リフレクタ１４０と、可聴式アラーム１５０と、可視的表示器４０と、ユーザ入力装置５０と、温度センサ１６０と、再充電式電源１７０と、温度調節要素６０と、オプションの光フィルタ８０と、オプションの空気腔１３０とを含む、或る実施形態による図１Ａ及び図１Ｂに示されるハンドヘルド装置１０の高レベルブロック図を示している。制御及び駆動電気回路１２０は、可視的表示器４０、ユーザ入力装置５０、温度センサ１６０、再充電式電源１７０、光源７０、及び温度調節要素６０の各々と連通している。光路３０は、光源７０と皮膚治療部位の部分１１０との間の光チャネルによって位置が限定され、例示的な実施形態では、上述のように、温度調節要素６０の１又は複数の開孔６５を通って進行する。オプションの光フィルタ８０は、光路３０内部に配置され、光源７０による不要な波長出力、好ましくは５９０ｎｍ未満の波長出力を除去するように動作する。オプションの空気腔１３０は、光源７０、又は提供される場合にはオプションの光フィルタ８０と、皮膚治療部位の部分１１０との間に形成され、皮膚治療部位の部分１１０に熱をさらに提供する。一実施形態では、オプションの空気腔１３０の熱は、光源７０によって供給され、光源７０と皮膚治療部位の部分１１０との間に温度勾配が形成される。別の実施形態では、別個の加熱要素（図示せず）がさらに提供される。温度調節要素６０が熱電素子として実装され、皮膚が温度調節要素６０によって冷却される、さらに別の実施形態では、対向する加熱側は、オプションの空気腔１３０に熱を提供する。オプションの光フィルタ８０が設けられ、皮膚治療部位の部分１１０と接触するように配置されている実施形態においてはオプションの空気腔１３０はない。温度センサ１６０は、皮膚治療部位１００と皮膚治療部位の部分１１０の温度のうちいずれか一方に関する温度を検知するように配置されている。
【００５２】
制御及び駆動電気回路１２０は作動時に、ユーザ入力装置５０を介してユーザ入力を検知する。ユーザ入力に応答して、制御及び駆動電気回路１２０は、好ましくは１又は複数のＬＥＤ又はＬＣＤディスプレイを含む可視的表示器４０を付勢するよう動作し、これによりユーザに対し作動を表示する。可視的表示器４０はさらに、再充電式電源１７０の充電状態、光源７０の作動及び／又は温度センサ１６０の出力に反応する皮膚治療部位１００と皮膚治療部位の部分１１０のうちいずれか一方の温度範囲等、追加的な状態表示を出力するように動作してもよい。一実施形態ではブザーで構成される可聴式アラーム１５０は、治療処置の終了、又は光源７０及び温度調節要素６０のいずれかの故障状態、又は温度域外の状態をユーザに聞こえるように通知するように動作する。制御及び駆動電気回路１２０は好ましくは、温度調節要素６０の１又は複数のＰＷＭデューティサイクル、光源７０のＰＷＭデューティサイクル、温度調節要素６０に印加される１サイクル当たりの電力、及び温度センサ１６０に応答して光源７０に印加される１サイクル当たりの電力を調節するようにさらに動作し、これにより皮膚治療部位１００と皮膚治療部位の部分１１０のうちの一方の温度が所定のパラメータ内に維持されることを確実にする。非限定的な一実施形態では、異なる電力供給範囲でエネルギーを各々提供する低エネルギープログラム、中程度のエネルギープログラム、及び最大エネルギープログラムのような、複数の異なる治療プログラムが、ユーザ入力装置５０を介してユーザ選択可能である。
【００５３】
光源７０は、ハウジング２０に対して固定され、好ましくは、ハウジング２０内部に固定されており、電流が光源７０を通して駆動されるオンタイムと電流が光源７０を通して駆動されないオフタイムとを備えた、制御及び駆動電気回路１２０からパルス状の電力を受信する。好ましくは、パルス状の電力は、５０％までのデューティサイクルを備える。リフレクタ１４０は、ハウジング２０内部に配置され、光源７０から出る光を光路３０の方へ反射するように配置される。非限定的な一実施形態では、光源７０は、白熱電球又はハロゲン電球で構成されている。
【００５４】
上述のように、温度調節要素６０は、非限定的な一実施形態では、ペルチエ効果の原理に応答して作動する熱電素子である。別の非限定的実施形態では、温度調節要素６０は、通常は冷却に使用されるガス、液体、固体のうち少なくとも１つ、又はこれらの複数を含む。図１Ａ及び図１Ｂに関し上述したように、温度調節要素６０は好ましくは、皮膚治療部位１００と接触するように配置され、光源７０からの光エネルギーが通過する開孔６５を備える。光エネルギーの衝撃領域は、皮膚治療部位の部分１１０の位置を限定する。温度調節要素６０は、温度調節要素６０が皮膚治療部位１００を冷却するように作動されるオンタイムと、温度調節要素６０の熱塊によって引き起こされる任意の残留冷却を除いて温度調節要素６０が冷却を行わないオフタイムとを備えた制御及び駆動電気回路１２０に応答して、制御及び駆動電気回路１２０からパルス状の電力を受信する。好ましくは、温度調節要素６０は、光源７０に供給されるパルス状のエネルギーと交互でパルス状の電力供給がされる。よって、光源７０の光エネルギー出力時、温度調節要素６０は、動作を休止し、光源７０の動作休止時、温度調節要素６０は、皮膚治療部位１００を冷却するようアクティブになる。一実施形態では、温度調節要素６０の冷却温度は、０〜２５℃であり、好ましくは４〜１５℃である。
【００５５】
制御及び駆動電気回路１２０は再充電式電源１７０に接続され、その状態の監視や、その充電の制御及びそこから電力を引き出すよう動作する。
【００５６】
上述のように、別の実施形態では、温度調節要素６０は、温度調節要素６０が皮膚治療部位１００を加熱するように作動されるオンタイムと、温度調節要素６０の熱塊によって引き起こされる任意の残留加熱を除く温度調節要素６０が加熱を行わないオフタイムとを備えた制御及び駆動電気回路１２０に応答して、制御及び駆動電気回路１２０からパルス状の電力を受信する。
【００５７】
図３は、或る実施形態による図１Ａ、図１Ｂ及び図２のハンドヘルド装置１０の回路の高レベル概略図を示しており、制御及び駆動電気回路１２０をより詳細に示している。ハンドヘルド装置１０は、光源７０と、制御及び駆動電気回路１２０と、可聴式アラーム１５０と、可視的表示器４０と、ユーザ入力装置５０と、温度センサ１６０と、再充電式電源１７０と、温度調節要素６０とを含む。制御及び駆動電気回路１２０は、制御ブロック２００と、パルス幅変調（ＰＷＭ）発生器２１０と、光源駆動電気回路２２０と、温度調節要素の駆動電気回路２３０と、タイマ１８０とを含む。
【００５８】
制御ブロック２００は、ＰＷＭ発生器２１０、光源駆動電気回路２２０、温度調節要素の駆動電気回路２３０、タイマ１８０、ユーザ入力装置５０、可視的表示器４０、可聴式アラーム１５０、再充電式電源１７０、及び温度センサ１６０と連通している。ＰＷＭ発生器２１０の第１出力は、光源駆動電気回路２２０に供給され、光源駆動電気回路２２０の出力は、光源７０に接続されている。ＰＷＭ発生器２１０の第２出力は、温度調節要素の駆動電気回路２３０に供給され、温度調節要素の駆動電気回路２３０の出力は、温度調節要素６０に接続されている。
【００５９】
制御ブロック２００は動作時に、再充電式電源１７０の状態を監視する。図１Ａに関し上述するように、再充電式電源１７０が充電器ジャック２５を介して外部充電源に接続され、再充電式電源１７０の電圧が所定の最大値を超える場合には、再充電式電源１７０の充電は中断される。
【００６０】
上述のように、ユーザ入力装置５０におけるユーザのアクションに応答して、制御ブロック２００は、治療処置を開始するようにアクティブになる。一実施形態では、治療処置は、５〜６０秒の範囲内であり、好ましくは２５〜３５秒の範囲内である。好ましくは、制御ブロック２００は、所定の治療処置の数値をロードして所定の治療処置の終了時に信号を出力するため、タイマ１８０を設定するように動作される。可視的表示器４０は、動作を表示するように設定される。好ましい実施形態では、ＰＷＭ発生器２１０は、５０％のデューティサイクルを備えたパルス列を生成するように設定される。さらに、好ましくは、光源駆動電気回路２２０に接続されたＰＷＭ発生器２１０の出力は、温度調節要素の駆動電気回路２３０に接続されたＰＷＭ発生器２１０の出力と交互に動作する。ＰＷＭ発生器２１０が安定すると、光源駆動電気回路２２０と温度調節要素の駆動電気回路２３０は動作可能になり、タイマ１８０は初期化される。一実施形態では、ＰＷＭ発生器２１０の周波数は、０．１〜１０Ｈｚ、好ましくは０．２５〜５Ｈｚとなるように設定される。一実施形態では、ＰＷＭ発生器２１０の周波数は、制御ブロック２００による治療において調節することができる。別の実施形態では、ＰＷＭ発生器２１０は、５０％までのデューティサイクルを備えたパルス列を生成するように設定される。別の実施形態では、パルス列のデューティサイクルは、制御ブロック２００による治療の間、調節することができる。一の特定の実施形態では、上述のように、デューティサイクルは、温度センサ１６０の出力に応答して調節される。別の実施形態では、ＰＷＭ発生器２１０は、２つの独立したパルス列を生成するように動作し、光源駆動電気回路２２０が２つのうち第１のパルス列に応答して光源７０を駆動するように配置され、温度調節要素の駆動電気回路２３０が、２つのうち第２のパルス列のものに応答して温度調節要素６０を駆動するように配置される。
【００６１】
光源駆動電気回路２２０及び温度調節要素の駆動電気回路２３０の作動は、治療処置が終了したことを表示する信号をタイマ１８０から受信するまで継続される。所定の治療処置時間が終了すると光源駆動電気回路２２０及び温度調節要素の駆動電気回路２３０は各々作動停止され、好ましくは、可聴式表示器が可聴式アラーム１５０を介して出力される。治療処置の間、皮膚治療部位の部分１１０で受けた光の全フルエンスは、一実施形態では４〜２５Ｊ／ｃｍ2、好ましくは８〜１２Ｊ／ｃｍ2であり、光要素の駆動電気回路２２０の電力及びデューティサイクルは、所望のフルエンスを得るように設定される。好ましくは、各光パルスのフルエンスは、０．０５〜１Ｊ／ｃｍ2、さらに好ましくは、０．３〜０．６Ｊ／ｃｍ2である。温度センサ１６０に応答して制御ブロック２００によって温度の範囲外が検出される場合には、１又は複数の光源駆動電気回路２２０及び温度調節要素の駆動電気回路２３０のデューティサイクルは好ましくは、皮膚温度を許容パラメータ内に維持するように調節される。
【００６２】
図４は、治療処置の間の光源７０の電力出力のグラフを示しており、Ｘ軸が時間（秒）を表し、Ｙ軸が図１Ｃの皮膚治療部位の部分１１０で測定した電力出力（ワット）を表している。一実施形態では、初期パルスは、標的部位の皮膚部分によってより一層吸収されるよう、強度と幅がより増大する。なぜなら、皮膚の初期温度が低いため、治療の開始時には皮膚がエネルギーをより効率的に吸収するからである。治療の間は上述のように、ＰＷＭ発生器２１０が必要に応じて調節可能なデューティ率でパルス列を生成し、これにより光源駆動電気回路２２０が光源７０を駆動することができる。好ましい実施形態では、上述のように、光源７０と温度調節要素６０が交互に駆動され、光源駆動電気回路２２０が光源７０を駆動していないときは、温度調節要素６０が温度調節要素の駆動電気回路２３０によって駆動される。
【００６３】
図５は、図１Ｃの皮膚治療部位の部分１１０の治療の間の表面温度のグラフを示しており、温度調節要素６０が冷却モードで作動し、Ｘ軸が時間（秒）を表し、Ｙ軸が表面皮膚温度（℃）を表す。図４に関し上述したように、治療開始時の光源７０は、一実施形態では長いパルスで駆動される。その結果、比較的長い間照射されるため、又上述のように、皮膚の初期温度が低いために治療の開始時の皮膚がエネルギーをより効率的に吸収するために、皮膚治療部位の部分１１０の表面温度が比較的大きく上昇することとなる。初期の長いパルスの後、光源７０は、より短いパルスによって駆動され、これにより、皮膚治療部位の部分１１０の表面温度の上昇は僅かとなる。上述のように、温度調節要素６０は、好ましくは光源７０が駆動されない間において駆動され、これにより、皮膚治療部位１００の表面温度、特に皮膚治療部位の部分１１０を冷却する。冷却電力と照射の交互パルスにより、一層効果的な治療となり、特に血流量、ひいては細胞の新陳代謝を増大させるものと思われる。図示されるように、皮膚治療部位の部分１１０の表面温度が各々上昇した後、温度調節要素６０は、皮膚治療部位の部分１１０の表面温度を低下させ、これにより、皮膚治療部位の部分１１０を引き締め、より効率的な治療となる。
【００６４】
図６は、温度調節要素が冷却モードで使用される、或る実施形態による皮膚治療方法の高レベルフローチャートを示している。ステージ１０００では、上述の温度調節要素６０のような、１又は複数の開孔を備えた温度調節表面が、上述の皮膚治療部位１００等の皮膚治療部位に当てられる。ステージ１０１０では、パルス状の光エネルギーが、ステージ１０００における１又は複数の開孔を通して進行する光路を介して、ステージ１０００の皮膚治療部位の一部分に印加される。必要に応じて光エネルギーは、５０％までのデューティサイクルで、０．１〜１０Ｈｚ、好ましくは０．２５〜５Ｈｚの周波数でパルス発振される。オプションのステージ１０２０では、温度調節要素はパルス状の電力で、好ましくはステージ１０１０のパルス状電力とで交互に冷却モードの電力供給がなされ、皮膚治療部位が２５℃未満の温度に冷却される。ステージ１０１０がステージ１０２０に先行することは必要条件ではなく、ステージ１０２０は、その範囲を超えることなしに、ステージ１０１０に先行してもよい。
【００６５】
オプションのステージ１０３０では、ステージ１０００の１又は複数の開孔が、中央の開孔、開孔のマトリックス、及び複数の並行したスリット状開孔の１つとして提供される。
【００６６】
オプションのステージ１０４０では、ステージ１０１０のパルス状の光エネルギーが、好ましくは５〜６０秒の範囲、更に好ましくは２５〜３５秒の範囲に予め決定された治療処置時間にわたって、４〜２５Ｊ／ｃｍ2、好ましくは８〜１２Ｊ／ｃｍ2の範囲のフルエンスを提供するように構成される。必要に応じて１パルス当たりのエネルギーは、０．０５〜１Ｊ／ｃｍ2、好ましくは０．３〜０．６Ｊ／ｃｍ2に設定される。
【００６７】
オプションのステージ１０５０では、ステージ１０１０のパルス状の光エネルギーが、３００〜２０００ｎｍの範囲の波長を示す広帯域の光源であるように構成され、さらに光は必要に応じて５９０〜２０００ｎｍの範囲の波長を示すようにフィルタ処理される。
【００６８】
オプションのステージ１０６０では、ステージ１０１０の皮膚治療部位の部分は、０．２５〜２ｃｍ2、好ましくは０．５〜１ｃｍ2の範囲となるように設定される。
【００６９】
ステージ１０７０では、治療期間の時間が監視される。非限定的な一実施形態では、治療期間の時間は、図３のタイマ１８０からの入力をチェックすることによって監視される。治療期間が終了した場合、ステージ１０８０において治療は、好ましくはステージ１０１０、１０２０を実行不可にすることによって、停止される。一実施形態では、可聴式及び／又は可視的警告が、さらにユーザに提供される。ステージ１０７０において治療期間が終了しない場合には、上述のように、ステージ１０１０が再度実施される。
【００７０】
従って、一定の本実施形態により、光源と、開孔を備えた温度調節要素との組み合わせを備えた家庭用ハンドヘルド装置を可能にする。一実施形態では、温度調節要素は、１つの中央開孔、開孔のマトリックス、又は複数の並行するスリット状開孔を備えた熱電素子であり、光エネルギーが開孔を介して皮膚に供給される。一実施形態では、光源は、標的部位に約３００〜２０００ｎｍの範囲で光衝撃を与える広帯域の光源であり、別の実施形態では、光源は、標的部位に５９０〜２０００ｎｍの範囲で光衝撃を与える、フィルタ処理された光である。
【００７１】
一実施形態では、光源は、標的皮膚部位のところで１パルス当たりのエネルギーが０．０５〜１Ｊ／ｃｍ2、好ましくは０．３〜０．６Ｊ／ｃｍ2となるよう持続した期間、パルスが発振される。パルス数は、治療処置の間、標的皮膚部位のところで４〜２５Ｊ／ｃｍ2のフルエンス、好ましくは、治療処置の間、標的皮膚部位のところで８〜１２Ｊ／ｃｍ2のフルエンスを提供するように選定される。
【００７２】
一実施形態では、冷却モードでの温度調節要素は、ユーザの皮膚に接触するのに０〜２５℃の温度、好ましくは４〜１５℃の温度を提供する。一実施形態では、冷却と光は交互にパルス発振される。
【００７３】
本発明の一定の特徴は、明瞭にするため別々に実施形態で説明したが、１つの実施形態において組み合わせて提供されてもよいことが認識される。反対に、本発明の種々の特徴は、簡潔にするため１つの実施形態で説明したが、別個に又は任意の適当な副次的組み合わせにより提供されてもよい。本出願の特許請求の範囲及び本発明の説明では、言語又は必要な示唆を表現するため特段に要する場合を除いて、用語の「を含む（ｃｏｍｐｒｉｓｅ）」又は「を含む（ｃｏｍｐｒｉｓｅｓ）」か「を含んでいる（ｃｏｍｐｒｉｎｇ）」等の変形は、あらゆる包括的な意味で、即ち言及した特徴の存在を明示するためであって、その存在又は本発明の種々の実施形態の中にある更なる特徴の追加を排除しないように使用される。
【００７４】
特段の定義がない限り、本明細書で使用される全ての技術用語と科学用語は、本発明が属する分野の当業者によって通常理解されるものと同じ意味を有する。本明細書に記載されたものと類似の又は同等の方法を本発明の実施で又は試験的に使用することは可能ではあるが、本明細書では適切な方法を記載した。
【００７５】
本明細書で言及した全ての刊行物、特許出願、特許、及び他の文献は、その全体を参照することにより援用する。矛盾が生ずる場合には、定義を含む特許明細書が優先する。さらに、材料、方法、及び事例は、例示的なものであるにすぎず、限定することを意図しない。任意の参照文献が従来技術を構成することは認めていない。参照文献に関する論述は、著者が主張することを述べており、出願人は、引用文献の正確さ及び適切さを問う権利を留保する。多数の従来技術文献がここに引用されているが、この参照文献が、これら文書のいずれもあらゆる国に共通する一般的知識の一部を形成するという了承を成すものではないことが明確に理解されるであろう。
【００７６】
本発明が上記に詳細に図示され記載されたことに限定されないことは、当業者によって認識されるであろう。むしろ、本発明の範囲は、添付の特許請求の範囲によって範囲が定められ、上述の種々の特徴の組み合わせと副次的組み合わせの両方並びに当業者が上述の説明を読むことにより想起するその変形例や修正を含む。
【図１Ａ】
0005566451.tif 000002
【図１Ｂ】
0005566451.tif 000003
【図１Ｃ】
0005566451.tif 000004
【図１Ｄ】
0005566451.tif 000005
【図１Ｅ】
0005566451.tif 000006
【図１Ｆ】
0005566451.tif 000007
【図１Ｇ】
0005566451.tif 000008
【図１Ｈ】
0005566451.tif 000009
【図２】
0005566451.tif 000010
【図３】
0005566451.tif 000011
【図４】
0005566451.tif 000012
【図５】
0005566451.tif 000013
【図６】
0005566451.tif 000014